(57)【要約】【課題】被収容物の下部同士の衝突を抑制するとともに、被収容物を収容する際に仕切部のみを組み立てて容易に使用可能とする。【解決手段】底面部１１０と、底面部１１０の縁から立設され、第１方向Ｘに並んで互いに対向する第１側面部１２０および第２側面部１３０とを備える。第１側面部１２０は、底面部１１０に対して斜めに交差する方向に延びる折り曲げ線Ｃ２１，Ｃ２２，Ｃ２３を中心として回動して底面部１１０に接近した状態において、第１側面部１２０から第２側面部１３０に向けて延在し、第１方向Ｘに直交する第２方向Ｙにおいて互いに間隔をあけて位置する複数の仕切部１２１，１２２，１２３、および、第２側面部１３０に沿って延在して複数の仕切部１２１，１２２，１２３の各々と繋がっている接続部１２４を含む。【選択図】図３
2017132476.tif 000002
【特許請求の範囲】
【請求項１】
底面部と、
前記底面部の縁から立設され、第１方向に並んで互いに対向する第１側面部および第２側面部とを備え、
前記第１側面部は、前記底面部に対して斜めに交差する方向に延びる折り曲げ線を中心として回動して前記底面部に接近した状態において、前記第１側面部から前記第２側面部に向けて延在し、前記第１方向に直交する第２方向において互いに間隔をあけて位置する複数の仕切部、および、前記第２側面部に沿って延在して前記複数の仕切部の各々と繋がっている接続部を含む、容器。
【請求項２】
前記接続部は、前記第２側面部と係合する係合部を有し、
前記第２側面部は、前記係合部と係合する被係合部を有する、請求項１に記載の容器。
【請求項３】
前記底面部の縁から立設され、前記第１側面部と前記第２側面部とを繋いで互いに対向する第３側面部および第４側面部をさらに備える、請求項１または請求項２に記載の容器。
【請求項４】
前記複数の仕切部は、前記第３側面部と前記第４側面部との間を等間隔に仕切っている、請求項３に記載の容器。
【発明の詳細な説明】
【技術分野】
【０００１】
本発明は、容器に関し、特に、組み立て式の容器に関する。
【背景技術】
【０００２】
仕切付包装用箱の構成を開示した先行文献として、特開平１０−７７０２５号公報(特許文献１)がある。特許文献１に記載された仕切付包装用箱においては、商品を収容する箱体の内側の片側にポケットが設けられている。ポケットは、箱体の側面に平行に隣接して形成された仕切板によって区切られている。箱体の内側のポケット側とは反対側に、仕切板と直角な複数の仕切片によって区切られている商品収容空間が形成されている。仕切片の下端には、箱体の底面方向へ延出し、商品間の緩衝部となる突出部が形成されている。
【先行技術文献】
【特許文献】
【０００３】
【特許文献１】特開平１０−７７０２５号公報
【発明の概要】
【発明が解決しようとする課題】
【０００４】
特許文献１に記載された仕切付包装用箱においては、仕切片は箱体の底面に対して直交する方向に延びる切込線にて折り曲げられており、仕切片は、基端部から斜め上方に向かって延在している。そのため、箱体の底面と仕切片との間の隙間は、仕切片の基端部側から仕切板側に行くに従って大きくなる。この隙間において被収容物の下部同士が衝突することを抑制するために、仕切片に突出部が設けられているが、被収容物の下部同士の衝突を安定して抑制するために突出部を大きくした場合、仕切支持部が小さくなって仕切片の固定が不安定になる。従って、特許文献１に記載された仕切付包装用箱においては、突出部を大きくすることが難しく、被収容物の下部同士の衝突を安定して抑制することができなかった。
【０００５】
また、特許文献１に記載された仕切付包装用箱においては、仕切片と箱体とを一連の組み立て作業により同時期に組み立てなければならない。すなわち、箱体のみを先に組み立てておき、仕切片のみを後に組み立てることができない。そのため、被収容物を収容し包装する店舗などにおいて、箱体から組み立てなければならず、仕切付包装用箱を容易に使用することができなかった。
【０００６】
本発明は上記の問題点に鑑みてなされたものであって、被収容物の下部同士の衝突を抑制できるとともに、被収容物を収容する際に仕切部のみを組み立てて容易に使用することができる容器を提供することを目的とする。
【課題を解決するための手段】
【０００７】
本発明に基づく容器は、底面部と、底面部の縁から立設され、第１方向に並んで互いに対向する第１側面部および第２側面部とを備える。第１側面部は、底面部に対して斜めに交差する方向に延びる折り曲げ線を中心として回動して底面部に接近した状態において、第１側面部から第２側面部に向けて延在し、第１方向に直交する第２方向において互いに間隔をあけて位置する複数の仕切部、および、第２側面部に沿って延在して複数の仕切部の各々と繋がっている接続部を含む。
【０００８】
本発明の一形態においては、接続部は、第２側面部と係合する係合部を有する。第２側面部は、係合部と係合する被係合部を有する。
【０００９】
本発明の一形態においては、容器は、底面部の縁から立設され、第１側面部と第２側面部とを繋いで互いに対向する第３側面部および第４側面部をさらに備える。
【００１０】
本発明の一形態においては、複数の仕切部は、第３側面部と第４側面部との間を等間隔に仕切っている。
【発明の効果】
【００１１】
本発明によれば、被収容物の下部同士の衝突を抑制できるとともに、被収容物を収容する際に仕切部のみを組み立てて容易に使用することができる。
【図面の簡単な説明】
【００１２】
【図１】本発明の一実施形態に係る容器を構成するシートの展開図である。
【図２】本発明の一実施形態に係る容器の外観を示す斜視図である。
【図３】本発明の一実施形態に係る容器において、複数の仕切部を回動させた状態を示す斜視図である。
【図４】図３の容器を矢印ＩＶ方向から見た一部側面図である。
【図５】本発明の一実施形態に係る容器において、被収容物を収容した状態を示す斜視図である。
【発明を実施するための形態】
【００１３】
以下、本発明に基づいた一実施形態における容器について図を参照して説明する。以下の実施形態の説明においては、図中の同一または相当部分には同一符号を付して、その説明は繰返さない。以下に説明する実施形態において、個数、量などに言及する場合、特に記載がある場合を除き、本発明の範囲は必ずしもその個数、量などに限定されない。図においては、実際の寸法比率では記載しておらず、構造の理解を容易にするために、一部比率を異ならせて記載している箇所を有する。
【００１４】
図１は、本発明の一実施形態に係る容器を構成するシートの展開図である。図２は、本発明の一実施形態に係る容器の外観を示す斜視図である。
【００１５】
図１に示すように、本発明の一実施形態に係る容器は、１枚のシート１００ａから形成されている。ただし、容器の構成は、１枚のシートから形成されている構成に限られず、複数のシートが互いに貼り合わされている構成であってもよい。シート１００ａの材料としては、紙、樹脂、金属、または、これらの複合材料などを用いることができる。
【００１６】
図１，２に示すように、本発明の一実施形態に係る容器１００を構成するシート１００ａは、底面部１１０と、第１方向Ｘにおいて、底面部１１０を互いの間に挟む第１側面部１２０および第２側面部１３０とを備える。第１側面部１２０は、底面部１１０における第１方向Ｘの一方側に隣接している。第２側面部１３０は、底面部１１０における第１方向Ｘの他方側に隣接している。底面部１１０と第１側面部１２０との境界に、折目線Ｌ１１が設けられている。底面部１１０と第２側面部１３０との境界に、折目線Ｌ１２が設けられている。
【００１７】
本実施形態においては、底面部１１０は、平面視にて矩形状の外形を有している。ただし、平面視における底面部１１０の外形は、矩形状に限られず、台形状または楕円形状などであってもよい。
【００１８】
シート１００ａは、第１方向Ｘに直交する第２方向Ｙにおいて、底面部１１０を互いの間に挟む第３側面部１４０および第４側面部１４１とをさらに備える。第３側面部１４０は、底面部１１０における第２方向Ｙの一方側に隣接している。第４側面部１４１は、底面部１１０における第２方向Ｙの他方側に隣接している。底面部１１０と第３側面部１４０との境界に、折目線Ｌ１３が設けられている。底面部１１０と第４側面部１４１との境界に、折目線Ｌ１４が設けられている。本実施形態においては、第３側面部１４０および第４側面部１４１の各々は、略矩形状の外形を有している。なお、第３側面部１４０および第４側面部１４１は、必ずしも設けられていなくてもよい。
【００１９】
シート１００ａは、第１側面部１２０における第２方向Ｙの一方側に隣接して設けられている第１糊付け部１５１と、第１側面部１２０における第２方向Ｙの他方側に隣接して設けられている第２糊付け部１５２と、第２側面部１３０における第２方向Ｙの一方側に隣接して設けられている第３糊付け部１５３と、第２側面部１３０における第２方向Ｙの他方側に隣接して設けられている第４糊付け部１５４とをさらに備える。なお、第３側面部１４０および第４側面部１４１が設けられない場合には、第１糊付け部１５１、第２糊付け部１５２、第３糊付け部１５３および第４糊付け部１５４も設けられない。
【００２０】
第１側面部１２０と第１糊付け部１５１との境界に、折目線Ｌ１５が設けられている。第１側面部１２０と第２糊付け部１５２との境界に、折目線Ｌ１６が設けられている。第２側面部１３０と第３糊付け部１５３との境界に、折目線Ｌ１７が設けられている。第２側面部１３０と第４糊付け部１５４との境界に、折目線Ｌ１８が設けられている。
【００２１】
以下、第１側面部１２０および第２側面部１３０の各々の構成について詳細に説明する。
【００２２】
第１側面部１２０は、主部１２９と複数の仕切部と接続部１２４とから構成されている。主部１２９は、折目線Ｌ１１、折目線Ｌ１５および折目線Ｌ１６の各々と隣接している。複数の仕切部の各々は、主部１２９と繋がっている。接続部１２４は、複数の仕切部の各々と繋がっている。
【００２３】
本実施形態においては、第１側面部１２０は、第１仕切部１２１、第２仕切部１２２および第３仕切部１２３の、３つの仕切部を含んでいるが、仕切部の数は３つに限られず、複数であればよい。
【００２４】
第１仕切部１２１、第２仕切部１２２および第３仕切部１２３は、第２方向Ｙの一方側からこの順で隣接して並んでいる。第１仕切部１２１、第２仕切部１２２および第３仕切部１２３の各々は、折目線Ｌ１１に対して斜めに交差するように、第１方向Ｘの他方側から一方側に向けて延在しつつ、第２方向Ｙの一方側から他方側に向けて延在している。
【００２５】
第１仕切部１２１は、第１仕切部１２１の延在方向と略直交する方向に延在する折り曲げ線Ｃ２１を中心として回動可能に設けられている。第２仕切部１２２は、第２仕切部１２２の延在方向と略直交する方向に延在する折り曲げ線Ｃ２２を中心として回動可能に設けられている。第３仕切部１２３は、第３仕切部１２３の延在方向と略直交する方向に延在する折り曲げ線Ｃ２３を中心として回動可能に設けられている。
【００２６】
折り曲げ線Ｃ２１、折り曲げ線Ｃ２２および折り曲げ線Ｃ２３の各々は、折目線Ｌ１１に対して斜めに交差する方向に延びている。折り曲げ線Ｃ２１、折り曲げ線Ｃ２２および折り曲げ線Ｃ２３は、互いに平行に延在している。すなわち、第１仕切部１２１、第２仕切部１２２および第３仕切部１２３の各々は、底面部１１０に対して斜めに交差する方向に延びる折り曲げ線を中心に回動することができる。
【００２７】
第１仕切部１２１、第２仕切部１２２および第３仕切部１２３の各々は、略矩形状の外形を有している。第１仕切部１２１の外形は、折り曲げ線Ｃ２１と、折り曲げ線Ｃ２１と略平行に位置する折り曲げ線Ｂ２１と、折り曲げ線Ｃ２１および折り曲げ線Ｂ２１の各々の第１方向Ｘの一方側の端点同士を結ぶ略直線状の外形線Ｌ２０と、折り曲げ線Ｃ２１および折り曲げ線Ｂ２１の各々の第１方向Ｘの他方側の端点同士を結ぶ切り込み線Ｌ２１とによって、規定されている。
【００２８】
第２仕切部１２２の外形は、折り曲げ線Ｃ２２と、折り曲げ線Ｃ２２と略平行に位置する折り曲げ線Ｂ２２と、折り曲げ線Ｃ２２および折り曲げ線Ｂ２２の各々の第１方向Ｘの一方側の端点同士を結ぶ切り込み線Ｌ２１と、折り曲げ線Ｃ２２および折り曲げ線Ｂ２２の各々の第１方向Ｘの他方側の端点同士を結ぶ切り込み線Ｌ２２とによって、規定されている。
【００２９】
第３仕切部１２３の外形は、折り曲げ線Ｃ２３と、折り曲げ線Ｃ２３と略平行に位置する折り曲げ線Ｂ２３と、折り曲げ線Ｃ２３および折り曲げ線Ｂ２３の各々の第１方向Ｘの一方側の端点同士を結ぶ切り込み線Ｌ２２と、折り曲げ線Ｃ２３および折り曲げ線Ｂ２３の各々の第１方向Ｘの他方側の端点同士を結ぶ、切り込み線Ｌ２３および外形線Ｌ２６とによって、規定されている。外形線Ｌ２６は、切り込み線Ｌ２３と繋がっている。
【００３０】
第１仕切部１２１は、切り込み線Ｌ２１の位置において、主部１２９および第２仕切部１２２の各々と分断されている。第２仕切部１２２は、切り込み線Ｌ２２の位置において、主部１２９および第３仕切部１２３の各々と分断されている。第３仕切部１２３は、切り込み線Ｌ２３の位置において、主部１２９と分断されている。
【００３１】
接続部１２４は、折り曲げ線Ｂ２１の位置にて第１仕切部１２１と繋がっており、折り曲げ線Ｂ２２の位置にて第２仕切部１２２と繋がっており、折り曲げ線Ｂ２３の位置にて第３仕切部１２３と繋がっている。第１仕切部１２１、第２仕切部１２２および第３仕切部１２３は、接続部１２４と繋がっていることにより、同時に同様に回動することになる。
【００３２】
接続部１２４は、第１仕切部１２１に対して折り曲げ線Ｂ２１を中心として回動可能に設けられており、第２仕切部１２２に対して折り曲げ線Ｂ２２を中心として回動可能に設けられており、第３仕切部１２３に対して折り曲げ線Ｂ２３を中心として回動可能に設けられている。接続部１２４は、第１仕切部１２１、第２仕切部１２２および第３仕切部１２３の全てに対して、同時に同様に回動する。
【００３３】
接続部１２４の外形は、折り曲げ線Ｂ２１と、切り込み線Ｌ２１と、折り曲げ線Ｂ２２と、切り込み線Ｌ２２と、折り曲げ線Ｂ２３と、外形線Ｌ２４と、外形線Ｌ２５とによって、規定されている。外形線Ｌ２４は、折り曲げ線Ｂ２１の第１方向Ｘの一方側の端点から鉤状に延びている。外形線Ｌ２５は、外形線Ｌ２４の末端と、折り曲げ線Ｂ２３の第１方向Ｘの他方側の端点とを結び、鉤状に延びている。
【００３４】
接続部１２４において、外形線Ｌ２４と外形線Ｌ２５との交点から、外形線Ｌ２５の延長線上に延びる、切り込み線Ｎ２４が設けられている。切り込み線Ｎ２４と外形線Ｌ２４とに挟まれている突縁部１２５は、後述するように第２側面部１３０と係合する係合部となる。
【００３５】
第２側面部１３０には、第１方向Ｘの他方側に切欠部１３１が設けられている。第２側面部１３０には、切欠部１３１に繋がっている切り込み線Ｎ３０が設けられている。第２側面部１３０において、切り込み線Ｎ３０と第１方向Ｘの他方側にて隣接している突縁部１３２は、後述するように突縁部１２５と係合する被係合部となる。
【００３６】
以下、箱体の組み立て方法について説明する。
まず、折目線Ｌ１１、折目線Ｌ１２、折目線Ｌ１３および折目線Ｌ１４の各々にて山折りすることにより、第１側面部１２０、第２側面部１３０、第３側面部１４０および第４側面部１４１の各々を底面部１１０に対して略垂直な状態にする。
【００３７】
このとき、第１糊付け部１５１、第２糊付け部１５２、第３糊付け部１５３および第４糊付け部１５４の各々の表面は糊付けされており、折目線Ｌ１５、折目線Ｌ１６、折目線Ｌ１７および折目線Ｌ１８の各々にて山折りされている。これにより、第１糊付け部１５１の表面は、第３側面部１４０の裏面に貼り付けられる。第２糊付け部１５２の表面は、第４側面部１４１の裏面に貼り付けられる。第３糊付け部１５３の表面は、第３側面部１４０の裏面に貼り付けられる。第４糊付け部１５４の表面は、第４側面部１４１の裏面に貼り付けられる。
【００３８】
その結果、図２に示すように、容器１００において、箱体が組み立てられた状態となる。この状態において、容器１００は、底面部１１０と、底面部１１０の縁から立設され、第１方向Ｘに並んで互いに対向する第１側面部１２０および第２側面部１３０とを備えている。容器１００は、底面部１１０の縁から立設され、第１側面部１２０と第２側面部１３０とを繋いで互いに対向する第３側面部１４０および第４側面部１４１をさらに備えている。
【００３９】
箱体の内側が、被収容物の収容空間となる。被収容物を収容し包装する店舗などにおいては、箱体が組み立てられた状態の複数の容器１００の、箱体同士が積み重ねられた状態で保管される。具体的には、箱体の内側に他の箱体が挿入され、他の箱体の内側にさらに他の箱体が挿入されることが、複数の容器１００において順次行なわれることにより、箱体同士が積み重ねられた状態となる。このように複数の容器１００を保管することにより、容器１００の保管スペースを低減することができる。
【００４０】
以下、本実施形態に係る容器１００において、第１仕切部１２１、第２仕切部１２２および第３仕切部１２３を回動させた際の動作について説明する。
【００４１】
図３は、本発明の一実施形態に係る容器において、複数の仕切部を回動させた状態を示す斜視図である。図４は、図３の容器を矢印ＩＶ方向から見た一部側面図である。
【００４２】
図３に示すように、接続部１２４の突縁部１２５の近傍を把持して、第２側面部１３０側および第３側面部１４０側に回動させることにより、第１仕切部１２１、第２仕切部１２２および第３仕切部１２３の各々は矢印１で示すように回動する。
【００４３】
具体的には、第１仕切部１２１は、折り曲げ線Ｃ２１を中心として回動して底面部１１０に接近し、第１側面部１２０から第２側面部１３０に向けて延在する。この状態において、第１仕切部１２１の下端部は、第１側面部１２０と第２側面部１３０との間の略全体に亘って、底面部１１０の近傍に位置している。第１仕切部１２１の上端部は、底面部１１０と略平行に位置している。
【００４４】
第２仕切部１２２は、折り曲げ線Ｃ２２を中心として回動して底面部１１０に接近し、第１側面部１２０から第２側面部１３０に向けて延在する。この状態において、第２仕切部１２２の下端部は、第１側面部１２０と第２側面部１３０との間の略全体に亘って、底面部１１０の近傍に位置している。第２仕切部１２２の上端部は、底面部１１０と略平行に位置している。
【００４５】
第３仕切部１２３は、折り曲げ線Ｃ２３を中心として回動して底面部１１０に接近し、第１側面部１２０から第２側面部１３０に向けて延在する。この状態において、第３仕切部１２３の下端部は、第１側面部１２０と第２側面部１３０との間の略全体に亘って、底面部１１０の近傍に位置している。第３仕切部１２３の上端部は、底面部１１０と略平行に位置している。
【００４６】
第１仕切部１２１、第２仕切部１２２および第３仕切部１２３は、第２方向Ｙにおいて互いに間隔をあけて位置している。本実施形態においては、第１仕切部１２１、第２仕切部１２２および第３仕切部１２３は、第３側面部１４０と第４側面部１４１との間を等間隔に仕切っている。ただし、仕切部同士の間隔は、上記に限られず、任意の間隔であってよい。
【００４７】
接続部１２４は、第１仕切部１２１に対して折り曲げ線Ｂ２１を中心として矢印２で示すように回動し、第２仕切部１２２に対して折り曲げ線Ｂ２２を中心として矢印２で示すように回動し、第３仕切部１２３に対して折り曲げ線Ｂ２３を中心として矢印２で示すように回動する。その結果、接続部１２４は、第２側面部１３０に沿って延在している。
【００４８】
図４に示すように、接続部１２４における切り込み線Ｎ２４の部位と第２側面部１３０における切り込み線Ｎ３０の部位とが互いに組み合わされて、接続部１２４の突縁部１２５が第２側面部１３０の外面側に位置し、第２側面部１３０の突縁部１３２が接続部１２４の内面側に位置することにより、突縁部１２５と突縁部１３２とが互いに係合する。これにより、接続部１２４が、第２側面部１３０に固定される。この状態において、切欠部１３１による第２側面部１３０の欠損領域は、接続部１２４によって略覆われている。
【００４９】
図５は、本発明の一実施形態に係る容器において、被収容物を収容した状態を示す斜視図である。図５においては、被収容物９０としてドーナツを記載しているが、被収容物９０はドーナツに限られない。また、被収容物９０の収容形態として、複数の仕切部の各々に被収容物９０を立て掛ける形態に限られず、仕切部同士に挟まれるように被収容物９０を配置する形態などであってもよい。
【００５０】
本発明の一実施形態に係る容器１００においては、箱体が組み立てられた状態で保管されていた容器１００の接続部１２４を把持して回動させるのみで、複数の仕切部を同時に容易にセットすることができ、図５に示すように被収容物９０を収容する容器として短時間で組み立てることができる。よって、被収容物９０を収容する際に仕切部のみを組み立てて容易に使用することができる。
【００５１】
本実施形態に係る容器１００においては、第１仕切部１２１、第２仕切部１２２および第３仕切部１２３の各々の下端部は、第１側面部１２０と第２側面部１３０との間の略全体に亘って底面部１１０の近傍に位置しているため、被収容物９０の下部同士の衝突を安定して抑制することができる。
【００５２】
また、第１仕切部１２１、第２仕切部１２２および第３仕切部１２３の各々の上端部は、底面部１１０と略平行に位置しているため、図５に示すように、第１仕切部１２１、第２仕切部１２２および第３仕切部１２３の各々に被収容物９０を安定して立て掛けることができる。
【００５３】
第１仕切部１２１、第２仕切部１２２および第３仕切部１２３が、第３側面部１４０と第４側面部１４１との間を等間隔に仕切っている場合、同一の被収容物９０を均等に配置することができる。
【００５４】
なお、今回開示した上記実施形態はすべての点で例示であって、限定的な解釈の根拠となるものではない。したがって、本発明の技術的範囲は、上記した実施形態のみによって解釈されるものではなく、特許請求の範囲の記載に基づいて画定される。また、特許請求の範囲と均等の意味および範囲内でのすべての変更が含まれる。
【符号の説明】
【００５５】
９０  被収容物、１００  容器、１００ａ  シート、１１０  底面部、１２０  第１側面部、１２１  第１仕切部、１２２  第２仕切部、１２３  第３仕切部、１２４  接続部、１２５，１３２  突縁部、１２９  主部、１３０  第２側面部、１３１  切欠部、１４０  第３側面部、１４１  第４側面部、１５１  第１糊付け部、１５２  第２糊付け部、１５３  第３糊付け部、１５４  第４糊付け部、Ｂ２１，Ｂ２２，Ｂ２３，Ｃ２１，Ｃ２２，Ｃ２３  折り曲げ線、Ｌ１１，Ｌ１２，Ｌ１３，Ｌ１４，Ｌ１５，Ｌ１６，Ｌ１７，Ｌ１８  折目線、Ｌ２０，Ｌ２４，Ｌ２５，Ｌ２６  外形線、Ｌ２１，Ｌ２２，Ｎ２４，Ｎ３０  切り込み線、Ｘ  第１方向、Ｙ  第２方向。
【図１】
2017132476.tif 000003
【図２】
2017132476.tif 000004
【図３】
2017132476.tif 000005
【図４】
2017132476.tif 000006
【図５】
2017132476.tif 000007